(57)【要約】【課題】  アバランシェフォトダイオードの性能を十分に発揮し、高精度に試料の分析を行うことが可能な試料分析装置を提供する。【解決手段】  本発明に係る試料分析装置は、アバランシェフォトダイオードを受光素子として用いたＷＢＣ検出部５を備える。このＷＢＣ検出部５には、フローセル５１と、半導体レーザ光源５２と、側方集光レンズ５５と、ダイクロイックミラー５６と、アバランシェフォトダイオード５７とが設けられている。側方集光レンズ５５は、ＮＡの高いレンズであり、また収差の小さい非球面レンズとされている。【選択図】      図８
2006313151.tif 000002
【特許請求の範囲】
【請求項１】
血液を分析する血液分析装置であって、
血液試料に、白血球を染色する染色試薬を少なくとも混合させて測定試料を調製する調製部と、
調製された前記測定試料から、前記測定試料の特徴を表す第１特徴情報及び第２特徴情報を少なくとも検出する検出部と、
検出された前記第１特徴情報及び前記第２特徴情報に基づいて、前記測定試料に含まれる白血球を５つに分類する分析部と、を備え、
前記検出部は、
前記測定試料に光を照射する光源と、
当該光源から前記測定試料に光が照射されることにより生じる蛍光を受光し、受光強度に応じた蛍光信号を出力するアバランシェフォトダイオードと、を備え、
前記第１特徴情報は、前記アバランシェフォトダイオードから出力された蛍光信号である、血液分析装置。
【請求項２】
前記検出部は、前記光源から前記測定試料に光が照射されることにより生じる散乱光を受光し、受光強度に応じた散乱光信号を出力する受光部を備え、
前記第２特徴情報は、前記受光部から出力された散乱光信号である、請求項１に記載の血液分析装置。
【請求項３】
前記検出部は、前記測定試料の電気抵抗を検出する電気抵抗検出部を備え、
前記第２特徴情報は、前記電気抵抗検出部によって取得された電気抵抗信号である、請求項１に記載の血液分析装置。
【請求項４】
前記分析部は、前記第１特徴情報と前記第２特徴情報とによりスキャッタグラムを作成し、作成したスキャッタグラムにより白血球を分類するように構成されている請求項１乃至３のいずれかに記載の血液分析装置。
【請求項５】
前記検出部は、
前記測定試料の液流を形成するフローセルと、
前記フローセルと前記アバランシェフォトダイオードとを結ぶ光路の途中に設けられた非球面レンズと、を備える請求項１乃至４のいずれかに記載の血液分析装置。
【請求項６】
粒子を含む試料の液流を形成するフローセルと、
当該フローセルに光を照射する光源と、
当該光源から光が前記フローセル中の液流に照射されることにより生じる光を受けるアバランシェフォトダイオードと、
前記フローセルと前記アバランシェフォトダイオードとを結ぶ光路の途中に設けられた非球面レンズとを備える試料分析装置。
【請求項７】
特定の粒子に対して染色反応を示す蛍光色素が少なくとも混合された試料を前記フローセルに供給する試料供給部を更に備え、
前記アバランシェフォトダイオードは、前記蛍光色素が発する蛍光を受けるように構成されている請求項６に記載の試料分析装置。
【請求項８】
前記試料供給部は、血液に染色試薬を少なくとも混合させた試料を前記フローセルに供給するように構成されており、
少なくとも前記アバランシェフォトダイオードからの出力信号に基づいて、前記試料中の血球を分類する分析部を更に備える請求項７に記載の試料分析装置。
【請求項９】
前記分析部は、前記試料中の白血球を分類するように構成されている請求項８に記載の試料分析装置。
【請求項１０】
前記分析部は、前記試料中の網状赤血球及び／又は有核赤血球を検出するように構成されている請求項８に記載の試料分析装置。
【請求項１１】
前記アバランシェフォトダイオードは、その受光面が、前記非球面レンズを通して前記受光面に結像される分析対象の粒子の像よりも大きく構成されている請求項６乃至１０の何れかに記載の試料分析装置。
【請求項１２】
前記アバランシェフォトダイオードの受光面は、前記分析対象の粒子の像の三倍以上の直径の円形に構成されている請求項１１に記載の試料分析装置。
【請求項１３】
前記アバランシェフォトダイオードの受光面は、直径が０．１ｍｍ以上２ｍｍ以下の円形に構成されている請求項６乃至１２の何れかに記載の試料分析装置。
【請求項１４】
前記アバランシェフォトダイオードの出力信号を増幅するアンプを更に備える請求項６乃至１３の何れかに記載の試料分析装置。
【請求項１５】
前記非球面レンズは、ＮＡが０．６０以上である請求項６乃至１４の何れかに記載の試料分析装置。
【請求項１６】
前記フローセルと前記アバランシェフォトダイオードとを結ぶ光路の途中には、一枚の非球面レンズが配されている請求項６乃至１５の何れかに記載の試料分析装置。
【請求項１７】
尿が混合された試料を分析する請求項６、７、及び１１乃至１６の何れかに記載の試料分析装置。
【請求項１８】
培養細胞が混合された試料を分析する請求項６、７、及び１１乃至１６の何れかに記載の試料分析装置。
【請求項１９】
粒子を含む試料の液流を形成するフローセルと、
当該フローセルに光を照射する光源と、
当該光源から光が前記フローセル中の液流に照射されることにより生じる光を受けるアバランシェフォトダイオードと、
前記フローセルと前記アバランシェフォトダイオードとを結ぶ光路の途中に設けられた非球面レンズとを備えるフローサイトメータ。
【発明の詳細な説明】
【技術分野】
【０００１】
本発明は、血液を分析する血液分析装置、粒子を含む試料を分析する試料分析装置及び当該資料分析装置に使用されるフローサイトメータに関する。
【背景技術】
【０００２】
赤血球、白血球、及び血小板の計数等を行う血液分析装置が知られている。このような血液分析装置は、血液を希釈した血液試料から赤血球と血小板とを測定し、溶血させた溶血試料から白血球を測定する。これらの測定には、試料の電気抵抗を検出する電気抵抗方式か、試料に光を照射して散乱光等を検出するフローサイトメトリー方式が用いられている。電気抵抗方式での測定に用いられる電気抵抗信号及びフローサイトメトリー方式での測定に用いられる散乱光信号は、いずれも血球の大きさを反映したものであり、これらの信号を用いて、赤血球、白血球、及び血小板の計数が行われている。
【０００３】
また、このような血液分析装置には、白血球分類の機能を有しているものが多い。この白血球分類とは、白血球をリンパ球、単球、好中球、好酸球、好塩基球に分類するものである。これらの種類の白血球は、大きさが似通っているため血球の大きさ情報だけでは分類することができない。そこで、血液を複数のアリコートに分配し、それぞれのアリコートに異なる種類の試薬を混合させて複数の測定試料を調製し、複数の測定試料を種々の手法により測定することによって白血球の分類が行われている。
【０００４】
例えば、シスメックス社製ＳＦ−３０００では、第１の血液（アリコート）に白血球４分類用試薬を混和して第１測定試料を調製し、この第１測定試料に光を照射して低角度散乱光と高角度散乱光とを検出し、これらの低角度散乱光信号と高角度散乱光信号とで白血球をリンパ球、単球、好中球と好塩基球とで構成されるグループ、及び好酸球に４分類するとともに、第２の血液（アリコート）に好塩基球分類用試薬を混和して第２測定試料を調製し、この第２測定試料に光を照射して低角度散乱光と高角度散乱光とを検出し、これらの低角度散乱光信号と高角度散乱光信号とで白血球を好塩基球とその他（リンパ球、単球、好中球、及び好酸球）とに分類し、両方の分類結果から白血球を５分類するように構成されている（特許文献１参照）。
【０００５】
同様に、血液を２つのアリコートに分け、それぞれに試薬を混和させて２種類の測定試料を調製し、これらを測定することにより白血球を５分類することは広く行われている。例えば、シスメックス社製ＸＥ−２１００ｉ、ＸＴ−２０００ｉは、第１の血液に白血球４分類用試薬を混和して第１測定試料を調製し、この第１測定試料に光を照射して側方散乱光と蛍光とを検出し、これらの側方散乱光信号及び蛍光信号で白血球をリンパ球、単球、好中球と好塩基球とで構成されるグループ、及び好酸球に４分類するとともに、第２の血液に好塩基球分類用試薬を混和して第２測定試料を調製し、この第２測定試料に光を照射して前方散乱光と側方散乱光とを検出し、これらの前方散乱光信号及び側方散乱光信号で白血球を好塩基球とその他とに分類するように構成されている。
【０００６】
また、Ｂａｙｅｒ社製ＡＤＶＩＡは、第１の血液に白血球４分類用試薬を混和して第１測定試料を調製し、この第１測定試料に光を照射して散乱光と吸収光とを検出し、これらの散乱光信号と吸収光信号とで白血球をリンパ球、単球、好中球と好塩基球とで構成されるグループ、及び好酸球に４分類するとともに、第２の血液に好塩基球分類用試薬を混和して第２測定試料を調製し、この第２測定試料に光を照射して低角度散乱光と高角度散乱光とを検出し、これらの低角度散乱光信号と高角度散乱光信号とで白血球を好塩基球とその他に分類する。
【０００７】
また、ＡＢＸ社Ｐｅｎｔｒａは第１の血液に白血球４分類用試薬を混和して第１測定試料を調製し、この第１測定試料に光を照射して吸収光を検出するとともに第１測定試料中の電気抵抗（インピーダンス）を検出し、電気抵抗信号と吸収光信号とで白血球をリンパ球、単球、好中球と好塩基球とで構成されるグループ、及び好酸球に４分類するとともに、第２の血液に好塩基球分類用試薬を混和して第２測定試料を調製し、この第２測定試料の電気抵抗を検出して、電気抵抗信号で好塩基球を分類する。
【０００８】
これらの他にも、１つの血液試料（アリコート）から白血球分類する装置も提供されている。ただし、これらの装置では３つ以上の検出信号を用いて白血球を５分類するように構成されている（例えば、特許文献２参照）。例えば、ＢｅｃｋｍａｎＣｏｕｌｔｅｒ社製ＬＨシリーズは、血液試料に白血球分類用試薬を混和して１つの測定試料を調製し、測定試料に光を照射して前方散乱光を検出するとともに測定試料中の直流電気抵抗及び高周波電気抵抗を検出し、直流電気抵抗信号、高周波電気抵抗信号、及び前方散乱光信号の３つの検出信号から白血球を５分類するように構成されている（特許文献３参照）。また、Ａｂｂｏｔｔ社Ｃｅｌｌｄｙｎシリーズは、血液試料に白血球分類用試薬を混和して１つの測定試料を調製し、測定試料に光を照射して０度散乱光、１０度散乱光、偏光側方散乱光、及び復偏光側方散乱光を検出し、０度散乱光信号、１０度散乱光信号、偏光側方散乱光信号、及び脱偏光側方散乱光信号の４つの検出信号から白血球を５分類するように構成されている（特許文献４参照）。
【０００９】
また、上述のような血液分析装置に搭載されるフローサイトメータには、試料の液流を通流させるためのフローセルと、このフローセルへ光を照射する光源と、受光素子とが設けられており、光源から照射された光がフローセル中の粒子（血球）によって散乱され、又は蛍光色素で染色された粒子が前記光を受けることにより蛍光を発し、このときの散乱光又は蛍光を受光素子によって受け、この受光信号を解析することにより、試料の分析を行うようになっている。かかる受光素子には、フォトダイオード、フォトマルチプライヤ等が用いられているが、特に蛍光は散乱光と比べて微弱であるため、蛍光用の受光素子には感度の高いフォトマルチプライヤが一般的に用いられている。また、フォトマルチプライヤに代えて、蛍光受光用の受光素子としてアバランシェフォトダイオード（ＡＰＤ）を使用しているフローサイトメータが開示されている（特表平９−５０２７９４号公報）。
【００１０】
【特許文献１】特開平８−４３３８１号公報
【特許文献２】特開平３−１７０８４３号公報
【特許文献３】特表平１−５０２９３１号公報
【特許文献４】特表平７−５０３７９２号公報
【発明の開示】
【発明が解決しようとする課題】
【００１１】
上述したように、従来の血液分析装置では、白血球を５つに分類するために複数のアリコートを必要としたり、１つのアリコートでも３つ以上の信号を必要としたりしていた。複数のアリコートが必要な場合には、血液を多く必要とすることになり、また、それぞれのアリコートから測定試料を調製するために複数の混合チャンバが必要となる。一方、３つ以上の信号を必要とする場合には、それぞれの信号を検出するために受光素子や電気抵抗検出素子等を多く必要とし、装置の構成が複雑となる。
【００１２】
また、アバランシェフォトダイオードは、一般的なフォトダイオード、フォトマルチプライヤ等の他の受光素子とは感度特性が異なるため、他の受光素子をアバランシェフォトダイオードにそのまま置き換えただけでは十分な性能を発揮することができない。
【００１３】
本発明は、かかる事情に鑑みてなされたものであり、白血球を５つに分類するために多くの血液を必要とせず、しかも検出部を簡易な構成とし、製造コストを抑えることができる血液分析装置を提供することを目的とする。
【００１４】
また、本発明の他の目的は、アバランシェフォトダイオードの性能を十分に発揮し、高精度に試料の分析を行うことが可能な試料分析装置及びフローサイトメータを提供することにある。
【課題を解決するための手段】
【００１５】
本発明に係る血液分析装置は、血液を分析する血液分析装置であって、血液試料に、白血球を染色する染色試薬を少なくとも混合させて測定試料を調製する調製部と、調製された前記測定試料から、前記測定試料の特徴を表す第１特徴情報及び第２特徴情報を少なくとも検出する検出部と、検出された前記第１特徴情報及び前記第２特徴情報に基づいて、前記測定試料に含まれる白血球を５つに分類する分析部と、を備え、前記検出部は、前記測定試料に光を照射する光源と、当該光源から前記測定試料に光が照射されることにより生じる蛍光を受光し、受光強度に応じた蛍光信号を出力するアバランシェフォトダイオードと、を備え、前記第１特徴情報は、前記アバランシェフォトダイオードから出力された蛍光信号であることを特徴とする。
【００１６】
フォトマルチプライヤに比べて小型且つ安価であり、しかもフォトマルチプライヤに匹敵する性能を有するアバランシェフォトダイオードを使用することにより、装置の構成の複雑化及び大型化を抑制し、また製造コストを抑えることができる。また、白血球を５つに分類するために第１特徴情報及び第２特徴情報しか必要としないため、検出部の構成を簡易な構成とすることができ、より一層簡易且つ小型な装置構成とすることができ、このため製造コストをさらに低減することができる。
【００１７】
上記発明においては、前記検出部は、前記光源から前記測定試料に光が照射されることにより生じる散乱光を受光し、受光強度に応じた散乱光信号を出力する受光部を備え、前記第２特徴情報は、前記受光部から出力された散乱光信号であるように構成することができる。また、前記検出部は、前記測定試料の電気抵抗を検出する電気抵抗検出部を備え、前記第２特徴情報は、前記電気抵抗検出部によって取得された電気抵抗信号であるように構成することもできる。
【００１８】
上記発明においては、前記分析部は、前記第１特徴情報と前記第２特徴情報とによりスキャッタグラムを作成し、作成したスキャッタグラムにより白血球を分類するように構成されていることが好ましい。
【００１９】
上記発明においては、前記検出部は、前記測定試料の液流を形成するフローセルと、前記フローセルと前記アバランシェフォトダイオードとを結ぶ光路の途中に設けられた非球面レンズと、を備える構成とすることが好ましい。
【００２０】
また、本発明に係る試料分析装置は、粒子を含む試料の液流を形成するフローセルと、当該フローセルに光を照射する光源と、当該光源から光が前記フローセル中の液流に照射されることにより生じる光を受けるアバランシェフォトダイオードと、前記フローセルと前記アバランシェフォトダイオードとを結ぶ光路の途中に設けられた非球面レンズとを備えることを特徴とする。
【００２１】
また、本発明に係るフローサイトメータは、粒子を含む試料の液流を形成するフローセルと、当該フローセルに光を照射する光源と、当該光源から光が前記フローセル中の液流に照射されることにより生じる光を受けるアバランシェフォトダイオードと、前記フローセルと前記アバランシェフォトダイオードとを結ぶ光路の途中に設けられた非球面レンズとを備えることを特徴とする。
【００２２】
アバランシェフォトダイオードは、フォトマルチプライヤに比べて微弱な光信号を検出する能力が低いが、かかる構成とすることにより、一般的な球面レンズを採用した場合に比べてレンズのＮＡ（開口数）を向上させつつ収差を抑えることができるため、アバランシェフォトダイオードにより多くの光を集めることができ、微弱信号であってもアバランシェフォトダイオードで検出することが可能となる。
【００２３】
上記発明においては、前記アバランシェフォトダイオードは、その受光面が、前記非球面レンズを通して前記受光面に結像される分析対象の粒子の像よりも大きく構成されていることが好ましい。これにより、分析対象の粒子の全体像がアバランシェフォトダイオードに投影され、アバランシェフォトダイオードの出力信号に粒子の情報を正確に反映させることができる。また、この場合においては、前記アバランシェフォトダイオードの受光面は、前記分析対象の粒子の像の三倍以上の直径の円形に構成されていることが好ましい。
【００２４】
上記発明においては、前記アバランシェフォトダイオードの受光面は、直径が０．１ｍｍ以上２ｍｍ以下の円形に構成されていることが好ましく、直径が１ｍｍ以上２ｍｍ以下とされていることが更に好ましい。アバランシェフォトダイオードは、その受光面が大きくなるほど出力信号のＳ／Ｎ比が低くなるため、この点では可及的に受光面を小さくすることが好ましい。その一方、受光面が小さすぎると、レンズによって正確に受光面のみに集光させることが困難となり、またレンズの収差の影響が大きくなるため高い検出精度が期待できない。よって、例えば血球等の微小な（直径数μｍ〜数十μｍ程度の）粒子を含む試料を分析する場合には、受光面を直径が０．１ｍｍ以上２ｍｍ以下の円形とすることにより、高いＳ／Ｎ比を維持しつつ、受光面へ確実に集光させ、またレンズの収差の影響を除去することが容易に達成できる。
【００２５】
上記発明においては、特定の粒子に対して染色反応を示す蛍光色素が混合された試料を前記フローセルに供給する試料供給部を更に備え、前記アバランシェフォトダイオードは、前記蛍光色素が発する蛍光を受けるように構成されていることが好ましい。蛍光は散乱光、透過光等の他の光信号に比べて微弱であるため、検出感度の高いアバランシェフォトダイオードを用いることによってかかる蛍光を高精度に検出することができる。
【００２６】
上記発明においては、前記アバランシェフォトダイオードの出力信号を増幅するアンプを更に備える構成とすることが好ましい。
【００２７】
上記発明においては、前記フローセルと前記アバランシェフォトダイオードとを結ぶ光路の途中には、一枚の非球面レンズが配されていることが好ましい。これにより、非球面レンズとすることによって１枚で高ＮＡのレンズを構成することができ、製品コストを低減することができる。
【００２８】
上記発明においては、血液が混合された試料を分析する構成とすることができ、また尿が混合された試料を分析する構成とすることもできる。更に、培養細胞が混合された試料を分析する構成とすることも可能である。
【発明の効果】
【００２９】
本発明に係る血液分析装置によれば、従来に比して簡易且つ小型な装置構成とすることができ、このため製造コストを抑制することができる。
【００３０】
また、本発明に係る試料分析装置及びフローサイトメータによれば、アバランシェフォトダイオードにより多くの光を集めることができ、アバランシェフォトダイオードの性能を十分に発揮し、高精度に試料の分析を行うことが可能となる等、本発明は優れた効果を奏する。
【発明を実施するための最良の形態】
【００３１】
以下、本発明の実施の形態に係る試料分析装置及びフローサイトメータについて、図面を参照しながら具体的に説明する。
【００３２】
図１は、本発明の実施の形態に係る試料分析装置の概略構成を示す正面図である。図１に示すように、本実施の形態に係る試料分析装置１は、血液検査に使用される装置であり、測定ユニット２と、データ処理ユニット３とによって主として構成されていて、測定ユニット２によって血液検体中に含まれる成分について所定の測定を行い、この測定データをデータ処理ユニット３で受信して分析処理を行うようになっている。かかる試料分析装置１は、例えば、病院または病理検査施設等の医療機関の施設内に設置されている。測定ユニット２とデータ処理ユニット３とは、互いにデータ通信が可能であるように、データ伝送ケーブル３ａによって接続されている。なお、データ伝送ケーブル３ａで測定ユニット２とデータ処理ユニット３とを直接接続する構成に限らず、例えば、電話回線を使用した専用回線、ＬＡＮ、またはインターネット等の通信ネットワークを介して測定ユニット２とデータ処理ユニット３とが接続されていてもよい。
【００３３】
図２は、測定ユニット２の外観を示す斜視図である。図２に示すように、測定ユニット２の正面の右下部分には、血液試料を収容した採血管２０をセット可能な採血管セット部２ａが設けられている。この採血管セット部２ａは、その近傍に設けられたボタンスイッチ２ｂをユーザが押すことにより前方へ開いて迫り出すようになっており、この状態でユーザが採血管２０をセットすることが可能となっている。採血管２０をセットされた後には、ユーザが再度前記ボタンスイッチ２ｂを押すことによって採血管セット部２ａが後方へ移動して閉止する。
【００３４】
図３は、測定ユニット２の内部構造を示す斜視図であり、図４は、その側面図である。採血管２０がセットされた採血管セット部２ａは、前述したように測定ユニット２の内部に収容され、採血管２０が所定の吸引位置に位置決めされる。測定ユニット２の内部には、試料を吸引するピペット２１、血液と試薬とを混合調整するためのチャンバ２２，２３等を有する試料供給部４が設けられている。ピペット２１は、上下方向に延びた管状に形成されており、その先端は鋭く尖っている。また、ピペット２１は、図示しないシリンジポンプに連結されており、このシリンジポンプの動作によって液体を所定量だけ吸引し、また吐出することが可能であるとともに、移動機構に接続されており、上下方向及び前後方向にそれぞれ移動可能となっている。採血管２０はゴム製のキャップ２０ａによって密閉されており、ピペット２１の鋭利な先端によって前記吸引位置にセットされた採血管２０のキャップ２０ａを穿刺し、この採血管２０に収容された血液試料をピペット２１によって所定量吸引することが可能である。また、図４に示すように、採血管セット部２ａの後方にはチャンバ２２，２３が設けられており、このように血液試料を吸引した状態のピペット２１を前記移動機構により移動させて、チャンバ２２，２３の中に血液試料が吐出されることにより、チャンバ２２，２３に血液試料が供給されるようになっている。
【００３５】
図５は、測定ユニット２の構成を示すブロック図であり、図６は、試料供給部４の構成を示す流体回路図である。図４に示すように、測定ユニット２は、試料供給部４と、ＷＢＣ検出部５と、ＲＢＣ検出部６と、ＨＧＢ検出部７と、制御部８と、通信部９とを備えている。制御部８は、ＣＰＵ，ＲＯＭ，ＲＡＭ等から構成されており、測定ユニット２の各種構成要素の動作制御を行うようになっている。通信部９は、例えばRS-232Cインタフェース、USBインタフェース、Ethernet（登録商標）インタフェースであり、データ処理ユニット３との間でデータの送受信を行うことが可能である。
【００３６】
図６に示すように、試料供給部４は、チャンバ、複数の電磁弁、ダイヤフラムポンプ等を備えた流体ユニットである。チャンバ２２は、赤血球、血小板の測定、及びヘモグロビンの測定に供される試料の調整に使用される。また、チャンバ２３は、白血球の測定に供される試料の調整に使用される。なお、図６では、説明を簡単にするためにチャンバ２３の周辺の流体回路の構成のみを示している。チャンバ２３は、溶血剤を収容する試薬容器ＦＦＤと、染色液を収容する試薬容器ＦＦＳとにチューブ等の流体通流路Ｐ１，Ｐ２を介して接続されている。チャンバ２３と試薬容器ＦＦＤとを繋ぐ流体通流路Ｐ１の途中には、電磁弁ＳＶ１９，ＳＶ２０が設けられており、また電磁弁ＳＶ１９，ＳＶ２０の間には、ダイヤフラムポンプＤＰ４が設けられている。ダイヤフラムポンプＤＰ４は、陽圧源及び陰圧源が接続されており、ダイヤフラムポンプＤＰ４を陽圧駆動及び陰圧駆動することができるようになっている。また、チャンバ２３と試薬容器ＦＦＳとを繋ぐ流体通流路Ｐ２の途中には、電磁弁ＳＶ４０，ＳＶ４１が設けられており、また電磁弁ＳＶ４０，ＳＶ４１の間には、ダイヤフラムポンプＤＰ５が設けられている。
【００３７】
このような電磁弁ＳＶ１９，ＳＶ２０，ＳＶ４０，ＳＶ４１及びダイヤフラムポンプＤＰ４，ＤＰ５を制御部８が次のように動作制御して、溶血剤及び染色液をチャンバ２３に供給することが可能である。まず、ダイヤフラムポンプＤＰ４よりも試薬容器ＦＦＤ側に配されている電磁弁ＳＶ１９を開放し、ダイヤフラムポンプＤＰ４よりもチャンバ２３側に配されている電磁弁ＳＶ２０を閉止した状態で、ダイヤフラムポンプＤＰ４を陰圧駆動することにより、試薬容器ＦＦＤから溶血剤が定量分取される。その後、電磁弁ＳＶ１９を閉止し、電磁弁ＳＶ２０を開放させ、ダイヤフラムポンプＤＰ４を陽圧駆動することにより、定量された溶血剤がチャンバ２３に供給される。同様に、ダイヤフラムポンプＤＰ５よりも試薬容器ＦＦＳ側に配されている電磁弁ＳＶ４０を開放し、ダイヤフラムポンプＤＰ５よりもチャンバ２３側に配されている電磁弁ＳＶ４１を閉止した状態で、ダイヤフラムポンプＤＰ５を陰圧駆動することにより、試薬容器ＦＦＤから染色液が定量分取される。その後、電磁弁ＳＶ４０を閉止し、電磁弁ＳＶ４１を開放させ、ダイヤフラムポンプＤＰ５を陽圧駆動することにより、定量された染色液がチャンバ２３に供給されることとなる。このようにして、血液試料と試薬（溶血剤、染色液）が混合され、白血球測定用の試料が調製される。
【００３８】
また、チャンバ２３はチューブ及び電磁弁ＳＶ４を含む流体通流路Ｐ３を介してフローサイトメータであるＷＢＣ検出部５に接続されている。この流体通流路Ｐ３は途中で分岐しており、その分岐先に電磁弁ＳＶ１，ＳＶ３が直列接続されている。また、電磁弁ＳＶ１，ＳＶ３の間には、シリンジポンプＳＰ２が設けられている。シリンジポンプＳＰ２にはステッピングモータＭ２が接続されており、このステッピングモータＭ２の動作によってシリンジポンプＳＰ２が駆動されるようになっている。また、チャンバ２３とＷＢＣ検出部５とを繋ぐ流体通流路Ｐ３は、更に分岐しており、この分岐先には電磁弁ＳＶ２９及びダイヤフラムポンプＤＰ６が接続されている。ＷＢＣ検出部５により白血球を測定する場合には、電磁弁ＳＶ４，ＳＶ２９を開放した状態でダイヤフラムポンプＤＰ６を陰圧駆動し、チャンバ２３から試料を吸引することにより、流体通流路Ｐ３に当該試料をチャージングする。試料のチャージングが終了すると、電磁弁ＳＶ４，ＳＶ２９を閉止する。その後、電磁弁ＳＶ３を開放し、シリンジポンプＳＰ２を駆動することにより、チャージングした試料がＷＢＣ検出部５へと供給される。
【００３９】
図６に示すように、試料供給部４にはシース液チャンバ２４が設けられており、このシース液チャンバ２４がＷＢＣ検出部５に流体通流路Ｐ４を介して接続されている。この流体通流路Ｐ４には、電磁弁ＳＶ３１が設けられている。かかるシース液チャンバ２４は、ＷＢＣ検出部５に供給されるシース液を貯留するためのチャンバであり、チューブ、電磁弁ＳＶ３３を含む流体通流路Ｐ５を介して、シース液が収容されたシース液容器ＥＰＫに接続されている。白血球の測定の開始前には、電磁弁ＳＶ３３が開放されてシース液がシース液チャンバ２４に供給され、予めシース液チャンバ２４にシース液が貯留される。そして、白血球の測定が開始されるときには、前述したＷＢＣ検出部５への試料の供給と同期して、電磁弁ＳＶ３１が開放され、シース液チャンバ２４に貯留されたシース液がＷＢＣ検出部５へ供給される。
【００４０】
ＷＢＣ検出部５は、光学式のフローサイトメータであり、白血球を半導体レーザによるフローサイトメトリー法により測定することが可能である。かかるＷＢＣ検出部５は、試料の液流を形成するフローセル５１を備えている。図７は、フローセル５１の構成を模式的に示す斜視図である。フローセル５１は、透光性を有する石英、ガラス、合成樹脂等の材料によって管状に構成されており、その内部が試料及びシース液が通流する流路となっている。かかるフローセル５１には、内部空間が他の部分よりも細く絞り込まれたオリフィス５１ａが設けられている。フローセル５１の当該オリフィス５１ａの入口付近は二重管構造となっており、その内側管部分は試料ノズル５１ｂとなっている。この試料ノズル５１ｂは、試料供給部４の流体通流路Ｐ３に接続されており、この試料ノズル５１ｂから試料が吐出される。また、試料ノズル５１ｂの外側の空間はシース液が通流する流路５１ｃであり、この流路５１ｃは前述した流体通流路Ｐ４に接続されている。シース液チャンバ２４から供給されたシース液は、流体通流路Ｐ４を介して流路５１ｃを通流し、オリフィス５１ａへ導入される。このようにフローセル５１に供給されたシース液は、試料ノズル５１ｂから吐出された試料を取り囲むように流れることとなる。そして、オリフィス５１ａによって試料の流れが細く絞り込まれ、試料に含まれる白血球、赤血球等の粒子がシース液に取り囲まれて一つずつオリフィス５１ａを通過する。
【００４１】
図８は、ＷＢＣ検出部５の構成を模式的に示す概略平面図である。ＷＢＣ検出部５には、半導体レーザ光源５２が、フローセル５１のオリフィス５１ａへ向けてレーザ光を出射するように配置されている。半導体レーザ光源５２とフローセル５１との間には、複数のレンズからなる照射レンズ系５３が配されている。この照射レンズ系５３によって、半導体レーザ光源から出射された平行ビームがビームスポットに集束されるようになっている。また、半導体レーザ光源５２から直線的に延びた光軸上には、フローセル５１を挟んで照射レンズ系５３に対向するように、ビームストッパ５４ａが設けられており、半導体レーザ光源５２からの直接光はビームストッパ５４ａによって遮光される。また、ビームストッパ５４ａの更に光軸下流側には、フォトダイオード５４が配されている。
【００４２】
フローセル５１に試料が流れると、レーザ光により散乱光及び蛍光の光信号が発生する。このうち前方の信号光が前記フォトダイオード５４へ向けて照射される。半導体レーザ光源５２から直線的に延びた光軸に沿って進行する光のうち、半導体レーザ光源５２の直接光はビームストッパ５４ａによって遮断され、フォトダイオード５４には概ね前記光軸方向に沿って進行する散乱光（以下、前方散乱光という）のみが入射する。フローセル５１から発せられた前方散乱光は、フォトダイオード５４で光電変換され、これによって生じた電気信号（以下、前方散乱光信号という）がアンプ５４ｂによって増幅され、制御部８に出力される。かかる前方散乱光信号は、血球の大きさを反映しており、制御部８がこの前方散乱光信号を信号処理することによって、血球の大きさ等を得るようになっている。
【００４３】
また、フローセル５１の側方であって、半導体レーザ光源５２からフォトダイオード５４へ直線的に延びる光軸に対して直行する方向には、側方集光レンズ５５が配されており、フローセル５１内を通過する血球に半導体レーザを照射したときに発生する側方光（前記光軸に対して交差する方向へ出射される光）がこの側方集光レンズ５５で集められるようになっている。側方集光レンズ５５の下流側にはダイクロイックミラー５６が設けられており、側方集光レンズ５５から送られた信号光は、ダイクロイックミラー５６で散乱光成分と蛍光成分とに分けられる。ダイクロイックミラー５６の側方（側方集光レンズ５５とダイクロイックミラー５６とを結ぶ光軸方向に交差する方向）には、側方散乱光受光用のフォトダイオード５７が設けられており、ダイクロイックミラー５６の前記光軸下流側には、光学フィルタ５８ａ及びアバランシェフォトダイオード５８が設けられている。そして、ダイクロイックミラー５６で分けられた側方散乱光成分は、フォトダイオード５７で光電変換され、これによって生じた電気信号（以下、側方散乱光信号という）がアンプ５７ａによって増幅され、制御部８に出力される。この側方散乱光信号は、血球の内部情報（核の大きさ等）を反映しており、制御部８がこの側方散乱光信号を信号処理することによって、血球の核の大きさ等を得るようになっている。また、ダイクロイックミラー５６から発せられた側方蛍光成分は光学フィルタ５８ａによって波長選択された後、アバランシェフォトダイオード５８で光電変換され、これによって生じた電気信号（側方蛍光信号）がアンプ５８ｂによって増幅され、制御部８に出力される。この側方蛍光信号は、血球の染色度合いに関する情報を反映しており、この側方蛍光信号を信号処理することによって、血球の染色性等を得るようになっている。
【００４４】
アバランシェフォトダイオードは、その受光面が大きくなるほど出力信号のＳ／Ｎ比が低くなるという特性を有する。また、半導体レーザ光源５２から発する光の強度を高めることによりＳ／Ｎ比は改善されるものの、アバランシェフォトダイオード５８の受光面を小さくした場合に比べてその効果は低く、また出力光のレベルを高めるとエネルギー消費が増大することから消費電力量の観点からも好ましくない。このため、アバランシェフォトダイオード５８の受光面を可及的に小さくすることが重要である。その一方で、アバランシェフォトダイオード５８の受光面を過剰に小さくすると、側方集光レンズ５５によりアバランシェフォトダイオード５８の受光面に投影された粒子の像よりも当該受光面が小さくなる場合があり、粒子に関する情報を正確に反映した側方蛍光信号を得ることができなくなる。また、側方集光レンズ５５の倍率を小さくして受光面よりも粒子の像を小さくすることも考えられるが、受光面が小さすぎると光軸との位置調整が困難となり、高い組立精度が要求され、製造コストの増大を招く。
【００４５】
また、上述のようにアバランシェフォトダイオード５８の受光面は小さいほうが好ましいが、受光面を小さくすると、受光面に結像される粒子像に現れる側方集光レンズ５５の収差の程度によっては、粒子像の一部が受光面を外れる場合もある。したがって、アバランシェフォトダイオード５８の受光面を小さくする程、側方集光レンズ５５の収差を小さくすることが要求される。また、アバランシェフォトダイオード５８で測定する蛍光は微弱であることが多いため、側方集光レンズ５５には高いＮＡが要求される。したがって、側方集光レンズ５５は非球面レンズとされている。図９は、側方集光レンズ５５の形状を示す側面断面図である。側方集光レンズ５５は、両凸レンズとされており、概ね、それぞれのレンズ面の曲率半径が中央部分から縁部に向かって小さくなるような形状とされている。図９においては、側方集光レンズ５５が平凸レンズのように示されているが、平面に見えるレンズ面も実際には僅かに湾曲している。具体的には、側方集光レンズ５５のレンズ面の形状は、次式によって与えられる。
【００４６】
【数１】
2006313151.tif 000003
ただし、
Ｘ：光軸方向の位置、
Ｙ：光軸と直行する方向へのレンズ中心からの距離、
Ｋ：形状係数、
Ｃｏ：基準面（非球面の基準となる球面）の曲率を示す係数、
Ｃｉ：非球面係数、
ｉ：１〜ｎの整数。
側方集光レンズ５５のレンズ面の形状は、上式によって表される曲線を、光軸を中心に回転させたときに得られる曲面とされる。なお、Ｃｏ，Ｋ，Ｃｉの各係数は、レンズの倍率、焦点距離等に合わせて、収差が発生しないような値が設定される。これにより、レンズの縁部周辺に発生しやすい収差を抑制することができる。また、側方集光レンズ５５のＮＡは０．６０となっている。このように、側方集光レンズ５５を、収差の発生を抑制する形状の非球面レンズとすることにより、ＮＡを高く設定することができるとともに、レンズの収差の影響を除去することができる。このため、側方集光レンズ５５を通して粒子の像の全体を確実にアバランシェフォトダイオード５８の受光面に結像しつつ、アバランシェフォトダイオード５８の受光面に到達する光量を大きくすることができ、結果として微弱な蛍光をアバランシェフォトダイオード５８によって検出することが可能となる。
【００４７】
また、フローセル５１の側方に設けられたレンズは、１枚の非球面レンズである側方集光レンズ５５のみとされている。多数の球面レンズを組み合わせて収差を抑えることも可能であるが、コストが増大し、また複数のレンズを光が通過するため光量の損失を招き、しかもフローサイトメータが大型化する。よって、１枚の非球面レンズである側方集光レンズ５５により側方蛍光及び側方散乱光を集光する構成とすることにより、コストを削減し、光量の損失の抑制し、またフローサイトメータの小型化を実現することができる。
【００４８】
このように、側方集光レンズ５５を非球面レンズとすることにより、収差が抑えられ、アバランシェフォトダイオード５８の受光面を小さくすることができる。この受光面の大きさは、測定対象の粒子の大きさ、側方集光レンズ５５の性能（ＮＡ，収差の程度）、半導体レーザ光源５２の出力レベル、及びアバランシェフォトダイオードの出力信号のＳ／Ｎ比を勘案して設定することができる。本実施の形態においては、測定対象の白血球は、抹消血液に存在するもので通常７〜２０μｍ程度であり、収差の小さい非球面レンズを採用しているため、直径１〜２ｍｍの円形の受光面を有するアバランシェフォトダイオード５８が使用される。
【００４９】
ＲＢＣ検出部６は、赤血球数及び血小板数を、シースフローＤＣ検出法により測定することが可能である。このＲＢＣ検出部６は、フローセルを有しており、このフローセルに上述したチャンバ２２から試料が供給されるようになっている。赤血球及び血小板の測定を行う場合には、チャンバ２２では血液に希釈液を混合した試料が調製される。かかる試料がシース液とともに試料供給部４からフローセルに供給され、フローセル中ではシース液によって試料が取り囲まれた液流が形成される。また、フローセル中の流路の途中には電極を有するアパーチャが設けられており、試料中の血球が一つずつ当該アパーチャを通過するときのアパーチャにおける直流抵抗を検出し、この電気信号を制御部８へ出力するようになっている。前記直流抵抗は、アパーチャを血球が通過するときに増大するため、この電気信号はアパーチャの血球の通過情報を反映しており、この電気信号を信号処理することによって、赤血球及び血小板を計数するようになっている。
【００５０】
ＨＧＢ検出部７は、血色素量を、ＳＬＳヘモグロビン法によって測定することが可能である。ＨＧＢ検出部７は、希釈試料を収容するセルが設けられており、このセルにチャンバ２２から試料が供給されるようになっている。ヘモグロビンの測定を行う場合には、チャンバ２２では血液に希釈液と溶血剤とを混合した試料が調製される。この溶血剤は、血液中のヘモグロビンをＳＬＳ−ヘモグロビンへと転化する性質を有している。また、セルを間に挟んで発光ダイオードとフォトダイオードとが対向配置されており、発光ダイオードからの光がフォトダイオードで受けられる。発光ダイオードは、ＳＬＳ−ヘモグロビンによる吸光率が高い波長の光を発するようになっており、また、セルは透光性の高いプラスチック材料で構成されている。これにより、フォトダイオードでは、発光ダイオードの発光が概ね希釈試料によってのみ吸光された透過光が受光されることとなる。フォトダイオードは、受光量（吸光度）に応じた電気信号を制御部８へと出力するようになっており、制御部８では、この吸光度と予め測定された希釈液のみの吸光度とを比較し、ヘモグロビン値を算出するようになっている。
【００５１】
制御部８は、以上のようにしてＷＢＣ検出部５、ＲＢＣ検出部６、ＨＧＢ検出部７から電気信号を受信し、血球の大きさ、血球の核の大きさ、血球の染色性、赤血球数、血小板数、ヘモグロビン値等を表す測定データが制御部８からデータ処理ユニット３へと送信される。データ処理ユニット３は、ＣＰＵ、ＲＯＭ、ＲＡＭ、ハードディスク、通信インタフェース、キーボード及びマウス等の入力部、及びディスプレイ装置を備えるコンピュータによって構成されている。通信インタフェースは、例えばRS-232Cインタフェース、USBインタフェース、Ethernet（登録商標）インタフェースであり、測定ユニット２との間でデータの送受信を行うことが可能である。また、データ処理ユニット３のハードディスクには、オペレーティングシステムと、測定ユニット２から受信した測定データを分析処理するためのアプリケーションプログラムがインストールされている。このアプリケーションプログラムをＣＰＵで実行することにより、データ処理ユニット３では、測定データを分析処理し、白血球数（ＷＢＣ）、赤血球数（ＲＢＣ）、血色素量（ＨＧＢ）、ヘマトクリット値（ＨＣＴ）、平均赤血球容積（ＭＣＶ）、平均赤血球血色素量（ＭＣＨ）、平均赤血球血色素濃度（ＭＣＨＣ）、血小板数（ＰＬＴ）を算出し、また前方散乱光信号、側方散乱光信号、側方蛍光信号を用いてスキャッタグラムを作成して、白血球を好中球、リンパ球、単球、好酸球、好塩基球に分類するようになっている。
【００５２】
本発明者らは、本実施の形態に係る試料分析装置を用いて実験を行った。ここでその実験結果について説明する。本実験では、蛍光を光電子増倍管で受光するフローサイトメータを有する従来の試料分析装置（シスメックス株式会社製ＸＥ−２１００）と、本実施の形態に係る試料分析装置との両方を使用して、血液試料中の白血球を測定し、そのスキャッタグラムをそれぞれ作成した。
【００５３】
図１０は、従来の試料分析装置を用いて作成したスキャッタグラムであり、図１１は、本実施の形態に係る試料分析装置を用いて作成したスキャッタグラムである。図１０及び図１１において、縦軸は側方蛍光の強度（受光レベル）を示しており、横軸は側方散乱光の強度（受光レベル）を示している。なお、本実験では、同一の正常な血液試料を用いて測定を行った。図１０に示すとおり、従来の試料分析装置による測定結果では、好中球、リンパ球、単球、好酸球のそれぞれのクラスタが明確に形成されていることが分る。ここで、従来の試料分析装置では、好塩基球を分類せず、白血球を好中球、リンパ球、単球、好酸球の４種類に分類している。これは、実験機として使用したＸＥ−２１００が、白血球を分類する測定チャンネルでは上記４分類を行い、好塩基球のみを別の測定チャンネルで検出する構成となっているため、スキャッタグラム上では好塩基球の存在領域が分画されないためである。一方、本実施の形態に係る試料分析装置１は、上述したように白血球を一度に好中球、リンパ球、単球、好酸球、好塩基球の５つに分類する構成であるため、スキャッタグラムにおいて好塩基球も分画されている。図１１に示す通り、本実施の形態に係る試料分析装置の測定結果において、好中球、リンパ球、単球、好酸球、好塩基球のそれぞれのクラスタが明確に形成されており、白血球を高精度に分類していることがわかる。このように、本実施の形態に係る試料分析装置によって、高精度に血液試料中の白血球の分析を行うことができた。また、ここでは説明を省略するが、同様に赤血球を成熟赤血球と網赤血球とに分類する実験も行った結果、従来の試料分析装置及び本実施の形態に係る試料分析装置との両方において良好な結果が得られたことを確認した。
【００５４】
なお、本実施の形態においては、アバランシェフォトダイオード５８の受光面の形状を直径が１〜２ｍｍの円形としたが、これに限るものではなく、例えば、０．１ｍｍ〜１ｍｍの円形であってもよく、また一辺の長さが０．１〜２ｍｍの正方形としてもよいし、同程度の面積を有する長方形その他の形状としてもよい。
【００５５】
また、本実施の形態においては、側方集光レンズ５５を両凸非球面レンズとしたが、これに限定されるものではなく、側方集光レンズ５５は、収差の発生を抑制する形状であれば、平凸非球面レンズであってもよい。
【００５６】
また、本実施の形態においては、抹消血液中の白血球を測定対象としたＷＢＣ検出部５の構成について述べたが、これに限定されるものではなく、巨核球、網状赤血球、有核赤血球等の白血球以外の血球や、白血球でも抹消血液中には殆ど存在しないマクロファージを測定対象に含めることもできる。この場合には、巨核球やマクロファージ等の大きな細胞の像を確実に検出することができるように、アバランシェフォトダイオード５８の受光面の大きさを設定すればよい。
【００５７】
更にこの場合には、溶血剤を添加せずに希釈液と染色液と血液試料とを混合させて測定用の試料を調製し、蛍光信号と散乱光信号（例えば前方散乱光信号）とでスキャッタグラムを作成し、網状赤血球や有核赤血球を成熟赤血球や白血球等の他の血球と分類するようにしてもよい。
【００５８】
また、本実施の形態においては、側方蛍光信号と側方散乱光信号とを用いて白血球を５分類するためのスキャッタグラムを作成する構成について述べたが、これに限定されるものではなく、アバランシェフォトダイオードをフローセルの前方に配置して前方蛍光を検出するようにし、前方蛍光と側方散乱光により白血球を５つに分類するようにしてもよい。また、アバランシェフォトダイオード５８により検出された蛍光信号と、他の信号とを用いてスキャッタグラムを作成し、これにより白血球を５つに分類するようにしてもよい。例えば、側方散乱光信号に代えて前方散乱光信号を用いてもよい。また、受光素子の位置を変えて低角度散乱光や高角度散乱光を検出するようにし、蛍光信号と低角度散乱光又は高角度散乱光を用いて白血球を５つに分類することもできる。また、フローセル５１のオリフィス５１ａを挟むように一対の電極を配置し、電極間の直流抵抗値又は高周波抵抗値を検出するようにし、白血球の分類に蛍光信号と直流抵抗信号（前方散乱光信号と特徴が類似）又は高周波抵抗信号（側方散乱光と特徴が類似）とを用いることもできる。
【００５９】
また、本実施の形態においては、血球計数を行う試料分析装置１の構成について述べたが、これに限定されるものではなく、例えば、アバランシェフォトダイオードを受光素子として有するフローサイトメータにより、尿中の粒子（尿中有形成分）を測定する構成の試料分析装置としてもよいし、アバランシェフォトダイオードを受光素子として有するフローサイトメータにより、培養細胞を測定する構成の試料分析装置としてもよい。
【００６０】
また、本実施の形態においては、測定ユニット２とデータ処理ユニット３とを別個に設け、これらによって試料分析装置１が構成される場合について述べたが、これに限定されるものではなく、測定ユニット２の機能とデータ処理ユニット３の機能との両方を有する一体型の試料分析装置としてもよい。
【産業上の利用可能性】
【００６１】
本発明に係る試料分析装置及びフローサイトメータは、アバランシェフォトダイオードにより多くの光を集めることができ、アバランシェフォトダイオードの性能を十分に発揮し、高精度に試料の分析を行うことが可能となるという効果を奏し、粒子を含む試料を分析する試料分析装置及び当該試料分析装置に使用されるフローサイトメータとして有用である。
【図面の簡単な説明】
【００６２】
【図１】本発明の実施の形態に係る試料分析装置の概略構成を示す正面図である。
【図２】本発明の実施の形態に係る試料分析装置が備える測定ユニットの外観を示す斜視図である。
【図３】本発明の実施の形態に係る試料分析装置が備える測定ユニットの内部構造を示す斜視図である。
【図４】本発明の実施の形態に係る試料分析装置が備える測定ユニットの内部構造を示す側面図である。
【図５】本発明の実施の形態に係る試料分析装置が備える測定ユニットの構成を示すブロック図である。
【図６】測定ユニットに設けられた試料供給部の構成を示す流体回路図である。
【図７】測定ユニットが備えるフローセルの構成を模式的に示す斜視図である。
【図８】測定ユニットが備えるフローサイトメータの構成を模式的に示す概略平面図である。
【図９】フローサイトメータに設けられた側方集光レンズの形状を示す側面断面図である。
【図１０】従来の試料分析装置を用いて実験を行った結果を示すスキャッタグラムである。
【図１１】本実施の形態に係る試料分析装置を用いて実験を行った結果を示すスキャッタグラムである。
【符号の説明】
【００６３】
１      試料分析装置
２      測定ユニット
２ａ      採血管セット部
２ｂ      ボタンスイッチ
３      データ処理ユニット
３ａ      データ伝送ケーブル
４      試料供給部
５      ＷＢＣ検出部
６      ＲＢＣ検出部
７      ＨＧＢ検出部
８      制御部
９      通信部
２０      採血管
２０ａ      キャップ
２１      ピペット
２２，２３      チャンバ
２４      シース液チャンバ
５１      フローセル
５１ａ      オリフィス
５１ｂ      試料ノズル
５１ｃ      流路
５２      半導体レーザ光源
５３      照射レンズ系
５４ａ      ビームストッパ
５４      フォトダイオード
５４ｂ，５７ａ，５８ｂ      アンプ
５５      側方集光レンズ
５６      ダイクロイックミラー
５７      フォトダイオード
５８      アバランシェフォトダイオード
５８ａ      光学フィルタ
ＤＰ４，ＤＰ５，ＤＰ６      ダイヤフラムポンプ
ＥＰＫ      シース液容器
ＦＦＤ，ＦＦＳ      試薬容器
Ｍ２      ステッピングモータ
Ｐ１，Ｐ２，Ｐ３，Ｐ４，Ｐ５      流体通流路
ＳＶ１，ＳＶ３，ＳＶ４，ＳＶ１９，ＳＶ２０，ＳＶ２９，ＳＶ３１，ＳＶ３３，ＳＶ４０，ＳＶ４１      電磁弁
ＳＰ２      シリンジポンプ
【図１】
2006313151.tif 000004
【図２】
2006313151.tif 000005
【図３】
2006313151.tif 000006
【図４】
2006313151.tif 000007
【図５】
2006313151.tif 000008
【図６】
2006313151.tif 000009
【図７】
2006313151.tif 000010
【図８】
2006313151.tif 000011
【図９】
2006313151.tif 000012
【図１０】
2006313151.tif 000013
【図１１】
2006313151.tif 000014